(57)【要約】【課題】比較的軽量な日用品小物／文具類を壁などの鉛直平面に壁面用保持具を使って吊り下げ保持することが多いが、不必要に頑丈な構造を持った高価な構造物である必要はない。使用する直前までは、安価に生産・流通・保管が可能な平面構造であり、使用時にユーザーが立体に組み立てて使う方式の吊り具／保持具を提供する。【解決手段】合成樹脂の中には、弾性限界が高く塑性伸びも大きく、繰り返しの塑性曲げにも破壊し難い、優れた変形特性を示すものが少なくない。例えば、ポリエチレンテレフタレート、ポリプロピレン、ポリスチレンなどの合成樹脂素材の薄板を、予め設計しておいた平面所定形状に打ち抜き、使用時にユーザーが手指で立体に組み立て、必要な個所を両面テープなどの接着剤を用いて壁面に固定すれば、即ち上記課題を解決するような保持具を実現できる。【選択図】      図２０
2004293772.tif 000002
【特許請求の範囲】
【請求項１】
所定部分が折り曲げられてフック部分（物品の保持部分）が立体的に形成され、残りの部分が台座部分（壁面に固定される部分）とされることにより壁面用の掛け具叉は保持具となる、組み立て方式であることを特徴とする所定形状に裁断された厚みが０．０５ｍｍから２．０ｍｍの範囲にある一枚の薄い板片状組み立て方式壁面用掛け具又は保持具。
【請求項２】
片面（裏面）の一部に、接着剤、叉は吸盤、叉は接合材を備えることを特徴とする請求項１に記載の組み立て方式壁面用掛け具又は保持具。
【請求項３】
板片内部に開いた切り込み線を有し、その切り込み線に沿って一部分を押出す又は引き出すことにより、その切り残り線部（開いている線部）を折り曲げ起点としながらフック部分を形成できることを特徴とする請求項１又は請求項２に記載の組み立て方式壁面用掛け具又は保持具。
【請求項４】
複数のフック部分を形成することができることを特徴とする請求項１から請求項３の何れかに記載の組み立て方式壁面用掛け具又は保持具。
【請求項５】
１８０度折り曲げ返されたフック形成部分の元板に重なり会合する部分の一部叉は全部が、元の板に留め固定されることによりループ叉はトンネル状のフック形体が形成される請求項１から請求項４の何れかに記載の組み立て方式壁面用掛け具又は保持具。
【請求項６】
複数の折り曲げられた部分同志が互いに繋ぎ留め固定されることにより、網状のフック形体が形成される請求項１から請求項４の何れかに記載の組み立て方式壁面用掛け具又は保持具。
【請求項７】
各々の所定部分が折り曲げられ更に組み合わされ留め固定されてフック部分（物品の保持部分）や台座部分（壁面に固定される部分）が立体的に形成されることにより、壁面用の掛け具叉は保持具となる組み立て方式であることを特徴とする所定形状に裁断された厚みが０．０５ｍｍから２．０ｍｍの範囲にある複数枚の薄い板片のセットである組み立て方式壁面用掛け具又は保持具。
【請求項８】
留め固定のための機構が、片方に開けられた穴部又はスリット部に他方の一部分を差し入れてから、差し入れた側の先端部分を折り曲げて留める方式であることを特徴とする請求項５から請求項７の何れかに記載の組み立て方式壁面用掛け具又は保持具。
【請求項９】
留め固定のための機構が、会合する２面のどちらか一方叉は両方に接着剤叉は接合材を有する方式であることを特徴とする請求項５から請求項７の何れかに記載の組み立て方式壁面用掛け具又は保持具。
【請求項１０】
折り曲げられてフックを形成する部分の内部に貫通穴を有することを特徴とする請求項１から請求項４の何れか、叉は請求項７に記載の組み立て方式壁面用掛け具又は保持具。
【請求項１１】
平板の表面に図柄がデザインされていることを特徴とする請求項１から請求項１０の何れかに記載の組み立て方式壁面用掛け具又は保持具。
【請求項１２】
クリアー（透明な）平板を用いたことを特徴とする請求項１から請求項１１の何れかに記載の組み立て方式壁面用掛け具又は保持具。
【請求項１３】
薄い板片素材として、塩化ビニル、又はポリプロピレン、又はポリエチレンテレフタレート、又はポリスチレン、又はポリエチレン、又はＡＢＳ樹脂などの合成樹脂、又は紙、又はそれらの複合材を素材として用いたことを特徴とする請求項１から請求項１２の何れかに記載の組み立て方式壁面用掛け具又は保持具。
【請求項１４】
請求項１から請求項１３に記載の何れかの組み立て方式壁面用掛け具又は保持具が一度組み立てられ、その状態から再び平面的な形に折り畳まれた形態にされたことを特徴とする組み立て方式壁面用掛け具又は保持具。
【発明の詳細な説明】
【０００１】
【発明が属する技術分野】
軽量な日用品や事務用品を、壁面に簡易に保持固定できる安価に生産・流通・保管が可能な吊り具／保持具に関する。
【０００２】
【従来の技術】
壁面に固定して使う保持具として従来各種のものがある。これらの保持具の壁面への固定の方法は台座部分を（１）螺子や釘留め、（２）吸盤留め、（３）（接着剤／粘着剤）留めするのであるが、この台座部分と物品を引っ掛けたり載せたりして保持する部分（以降、保持部分と称す）とは初めから成形された剛性のある立体構造体である。即ち、ユーザーは壁面に固定しさえすれば直ぐに使用できるのだが、ユーザーの側で調整する部分はない。素材としては金属や硬質のプラスチックを用いた立体状の成型加工品である。販売や保管においては、その立体構造の故に場所もとる。これらの構造や特徴は、生産、流通、保管の全ての面でコストを高くする。壁面に保持したい物品は軽いものから重いものまで様々であるが、従来から軽いものに対しても立体剛性構造体フックが用いられてきており、軽量な物品に対しての壁面保持具としては過剰な品質と言える。叉、従来の壁面用の保持具は、道具としての機能が優先されるためデザイン面での工夫に乏しい。
【０００３】
【発明が解決しようとする課題】
製造時に安価に大量生産ができ、流通・保管時にも平面状態又はそれに近い形態の故に、ユーザーの手に渡るまでの全ての過程でコストを抑えられ、ユーザーが使用直前に簡単に３次元形状（台座部と保持部）に組み立てられる方式の壁面用の掛け具又は保持具を提供する。叉、単なる道具としての機能に止まらず、装飾的要素も兼ね備えた保持具とする。
【０００４】
【課題を解決するための手段】
多くの合成樹脂製の薄板は、金属と異なり塑性域内で繰り返して曲げ戻しの加工をしても容易には破壊しない特性を持っている。叉、素材強度や形状にもよるが、例えば２ｍｍを越えない合成樹脂製薄板であれば、手指で十分に曲げ加工のできる低い加工力で変形してくれる。そして、目的の形状に整うまで繰り返して変形を加えることができる。このような容易加工性にも拘らず、実用的に十分な破壊限界を有しており、軽量物の保持であれば、十分に耐えられるだけの保持部分を形成できる。この特性を生かして、生産流通時には特定の形状に打ち抜いた平面形態であり、使用直前にユーザーが手指で立体的に組み立てて使う方式の壁面用の掛け具又は保持具を実現することができる。このような合成樹脂素材として、例えば一般的によく使われているポリエチレンテレフタレート（ＰＥＴ）、ポリプロピレン（ＰＰ）、ポリスチレン（ＰＳ）、ポリエチレン（ＰＥ）、塩化ビニル、ＡＢＳ樹脂などが挙げられる。或いは、これらの合成樹脂素材と他の素材（紙や金属）との積層複合素材であってもよい。明らかに軽量な物品（輪ゴム、軽いペンなど）を保持する場合なら、丈夫な合成樹脂を素材とせずとも、厚手の紙でもその機能を果たすことができる。実用的には、使用するこれらの合成樹脂材、又は紙材、叉は複合材の板厚は０．３ｍｍから２．０ｍｍの範囲である。
【０００５】
又、フックとての保持部分をループさせて元の板に留め固定することによりトンネル状の管筒を形成し、その管筒内部に例えば台所用ラップのような長さのある物品を保持するような場合には、素材は比較的薄い素材でよく、そのトンネル形状を形成するのに素材の弾性変形内で実現することすら可能である。この用途の場合、素材の厚さは実用的に０．０５ｍｍから０．５ｍｍの範囲である。
【０００６】
壁面などの平面に貼り付けて使用する台座になる部分と、手指で折り曲げて整形加工し物品を保持する部分とする保持部分とを予め平面図で設計しておいて、この形状を合成樹脂製薄板などの適切な素材から打ち抜くことで、課題を解決できる本発明品ができあがる。組み立て出来上がりの形状を想定して平面形状を設計すれば良い。汎用型のものから、特定の物品を対象とした特殊型まで、平面形状設計の自由度は高い。台座部分は両面テープ／マジックテープ（登録商標）などの接着／接合素材で壁面などの平面に貼り付けて固定すればよい。使用する薄板素材の表面に装飾的なデザインをすれば、保持具としての機能に加えて、装飾的な効果をも持たせることができる。想定される保持物品にマッチする図柄をデザインすれば、面白い効果を得られる。
【０００７】
更にユーザーの利便性を考えて、一度立体形状に組み立てた上記の発明品を、折り目を付けて平面的な形に折り畳んだ形態にして生産・流通させることも課題を解決する方法と言える。ユーザーは、畳まれた形状をただ引き起こして形を整えれば直ぐに使用できる。
【０００８】
【実施例】
図１は本発明品の最も基本的な形状であり、打ち抜き加工された一葉の合成樹脂薄板平板である。１の台座部分の裏面には、壁面への貼付け固定のための両面テープなど接着／接合のための素材が付加されている。２の部分は、図２に示すようにユーザーが手で自在に折り曲げて使用するフックとしての保持部分である。引っ掛けて保持したい対象となる物品の形状に合わせて、そのフック部分の折り曲げ方を調整できる。必要ならば、フックを形成する２の部分の一部を鋏で切り取って形を独自に変更することもできる。合成樹脂製の薄板なのでこういう追加裁断加工も可能となる。裏面に接着用の糊剤を備えた図１のような本発明品を、剥離台紙上に複数個並べてシート状にしておけば、まとめての販売、購入が容易になる。
【０００９】
図３は、図１のフック部分に小さな貫通穴３と開いた貫通切り込み線４が加工された場合の本発明の例である。開いた貫通切り込み線４の内部を裏面から押出し、曲げて整形したフック部２内の貫通穴３に差し込んだ後に強く折り曲げて留め固定するようにすれば、ループ状のフックを作ることができる。図４はこの状態を表している。このような機械的な他の留め方としては、一方に設けたスリットに他方の先端を通してからその先端部分を折り曲げて留め固定する方法なども考えられる。或いは、機械的ではなく、単に接着剤叉は接合材を用いて留め固定することも一法である。
【００１０】
図５では、フックを形成する保持部分形状が図１の場合とは異なるデザインの本発明の例である。５の部分が壁面に貼り付ける台座部分であり、その裏面には接着剤が付与されている。接着剤の替わりに、マジックテープ（登録商標）を用いてもよい。保持部分を形成する６の部分には穴部７が設けられている。穴部７に物品を引っ掛けて保持できる。線状部８は、目安となる折り位置を示す印刷又は折り癖の線である。図６は、この発明品の保持部分６をユーザーが自在に折り曲げた例である。吊り下げる対象物品や使い勝手によって折り曲げ角度は調整できる。
【００１１】
図７は形成するフックとしての保持部分が２箇所ある本発明品の例である。９の台座部分の裏面に接着剤が付与されている。図８に、保持部分１０をユーザーが自在に折り曲げてフックのある形に組み立てた状態を示す。合成樹脂薄板からできているので、鋏による追加の裁断、手指による折り曲げ加工などが容易に可能である。
【００１２】
図９は図８のように組み立てた状態の本発明品を壁面に貼り付け、そこに折り畳んだ眼鏡を掛けて保持している状態を表す。２つのフック保持部分をペアにして用いて眼鏡を掛けている。眼鏡は、引出しに保管したりあちらこちらの机やテーブルに置いたりすると、探しのに苦労することがあるが、壁面に掛けて保管することにしておけば、眼につき易いため探し回ることも少なくなるであろう。
【００１３】
図１０は、形成するフックとしての保持部分が３箇所ある本発明品の使用例で、この場合歯ブラシを掛けている。洗面所の鏡などの垂直な面に本発明品を貼り付けて歯ブラシの保管に利用すれば、水平面の保管場所面積を節約できる。３個のフック部分があれば、自由度があって掛け易いし、他のものを掛けることも可能である。クリアーな合成樹脂素材を用いれば、本発明品の存在が目立たないので、鏡面上で歯ブラシだけが一見浮いたように見える効果を演出できる。
【００１４】
図１１は、フックとしての保持部分を蛸足状に多数個形成できる設計の本発明品の例である。組み立てられて鍵を吊り下げて保管するのに使われている。上部が台座部分１１で、下部が複数のフックとしての保持部分１２である。複数のフックがユーザーの使い易いように自由に折り曲げられて使われている。各フックの内部に貫通穴も設けられていて、例えばＳ字型フックを掛けて使ったりもできる。
【００１５】
図１２は、長方形の形をした本発明品の例で、２箇所のフックを形成できる保持部分１４が、台座部分１３内にある合計４本の貫通切り込み線によって実現されている。貫通切り込み線の本数を増やせば、保持部分の数を３個以上に増やすこともできる。図１３は、ユーザーが保持部分１４を手指で引き起こし曲げながら整形して組み立てた状態である。この例では、切り込みのある方を上側にして使用する方法を示しているが、切り込みのある側を下側にして使うことも可能である。その場合には、図２や図８に示す場合のように、引き起こしたフック部分を巻き上げるように整形してフック部分を形成することになる。
【００１６】
図１４は、表面に人面図柄デザインを備えた合成樹脂製薄板平板内部の特定の２箇所に開いた貫通切り込み線を加工することにより、フックとしての保持部分を裏面から手指で押出して形成できる方式の本発明品の例である。図柄は自由である。図１５は、壁面に貼り付けて固定した図１４の発明品に、折り畳んだ眼鏡を掛けて保持している状態を表している。デザインの中の人面が眼鏡を掛けているように見える効果を表現している。
【００１７】
図１６は、図１４の場合におけるペアフックの個数を複数にした場合の本発明品を壁面に貼付け固定したものに、ペンと鋏を保持した状態を表している。この例では特に図柄デザインを表してはいないが、表面に各種のデザインをあしらえば装飾的効果も与えられる。この構造の本発明品を、図１７に示すように多列の眼鏡掛けとして用いれば、眼鏡店での業務用の眼鏡商品陳列の道具として使える。掛ける対象を変えれば、別の様々な商品の業務用陳列台にもできる。
【００１８】
図１８は、全体がＦの字形に裁断加工されている本発明の例である。台座部分１５の裏面には両面テープなどの接着素材が使われていて壁面に固定できるようになっている。１６、１７、１８の各部分はユーザーが自由に折り曲げ整形して組み立てる保持部分である。図１９は、実際にこれを組み立てた状態を表している。１６、１７の端部裏面にも両面テープが貼られていて、これらの保持部分はループ状に丸く曲げられて端部が台座部分１５に留め固定されている。留め固定するのに両面テープではなく、例えば図３、図４で示したような嵌め合い方式とすることも可能である。保持部１８は鉤状に巻き上げた形態に曲げ加工整形されている。この組み立てられた発明品を、壁面やパソコン筐体側面やモニター側面などに貼り付けて固定し、それにマウスを入れて保持している状態を図２０に表す。保持する対象がこの例ではマウスであるが、携帯電話であっても良いし髭剃りなどであっても構わない。
【００１９】
図２１は、薄いクリアーなプラスチックフィルムを素材として用い、保持部分がトンネル状の管筒形となっている例である。この管筒形保持部２１に台所用ラップ２２が収められている。壁面に貼られた部分が台座部分２０である。この場合は、横長の物品を収納するのに適した組み立て方式壁面用掛け具又は保持具の例である。図２２は図２１を真横から眺めた場合の模式図である。壁面２４への台座部分２０の固定、１８０度折り返した保持部分２１の先端部の台座部分２０への固定には接着剤２３を用いている。クリアーな薄いフィルムを用いているので、保持しているものが何なのかが良く見えて分かり易い。この場合、フィルムは殆ど弾性変形内でこのような形に加工できるので、台所用ラップを抜き去ると、管筒形保持部２１はトンネルのように丸い形状に戻る。詰まり、再度台所用ラップ２２を収めようとする時、隙間が大きいので収め易い。
【００２０】
図２３は、複数枚の薄い板片のセットである組み立て方式壁面用掛け具又は保持具の一例である。このセットを組み立てた例が図２４である。図では５枚の板片がセットになっていて、板片２７が台座部分２７Ａとなり、板片２５と２６がそれぞれ鉤型フック部分２５Ａ、穴型フック部分２６Ａに成形されている。図２３において、両面テープ接着剤２８及び２９がそれぞれの板片の組み立て固定用に付加されている。
【００２１】
図２５も、複数枚の薄い板片のセットである組み立て方式壁面用掛け具又は保持具の一例である。各板片の中央部分２８が台座になる部分であり、ここに壁面に固定するための両面テープ３０が貼られている。両端部分２９が折り曲げられてフック部分となる。破線で示されている折り曲げ部分には、そのことを示す線が印刷されているか、折癖が付けられている。図２６は図２５を組み立てて壁面に固定し、ティシュペーパーの箱を保持している状態を示す。
【００２２】
【発明の効果】
本発明品は一般的な家庭用、事務用の小型軽量物（輪ゴム、鉛筆、ペン、鋏、カッターナイフ、粘着テープ、定規、巻尺、鍵、カレンダー、歯ブラシ、タオル爪きり、ラップ、アルミホイル、ミトン、寒暖計、眼鏡、マウス、携帯電話、腕時計、髭剃り）の多くに適用でき、次のような効果が期待できる。
【００２３】
ユーザーが実際に壁に貼り付けて使用するまでは平面の状態であるので、場所を取らず流通や保管に都合がよい。
【００２４】
壁面に保持したい対象物の形状や重量によって、またユーザーの使い勝手や好みによって保持部分を自由に切断したり曲げたりして整形加工できる。
【００２５】
本発明品のメーカーは、一枚の合成樹脂薄板素材を所定形状に打ち抜くだけの単純な加工方法により、安価に大量にこれを生産することが可能である。即ち、複数の部品を組み立てるような工程が不要である。
【００２６】
柔軟構造体のため、保持する対象物の重力に因る接着面を垂直方向に引き剥がすように働く応力が、寧ろ壁に平行な方向に働くせん断力の方に吸収されて小さくなるので、剛構造体のものより接着固定面が剥がれ難くなる。
【００２７】
複数のフック部分を組み合わせて一つの対象物を保持することにより、壁掛け保持具として新たな用途、例えば「眼鏡掛け」、「歯ブラシ掛け」、「ペン掛け」などとしての新たな用途が考えられる。
【００２８】
表面に化粧デザインをあしらい装飾性を持たせることにより、楽しく個性ある日用品を演出できる。
【００２９】
透明な素材を用いることにより、吊り下げ又は保持した対象物が空中に浮いたように見せる不思議な視覚効果の演出も可能である。
【００３０】
大きな平板に多数のフックを用いる設計にすることにより、一般家庭用途だけではなく、小売店の商品陳列用具などとしての商業用途も考えられる。
【図面の簡単な説明】
【図１】本発明品の最も単純な形。（組み立て前）
【図２】図１の発明品の保持部分（フック）を起して組み立てた例。
【図３】ループ状のフック部を形成できる図１と同様な本発明品の例。（組み立て前）
【図４】図３の発明品の保持部（フック）を起して組み立てた例。
【図５】フック部に穴を設けた図１と同じ類型の本発明品の例。（組み立て前）
【図６】図５の発明品の保持部（フック）を起して組み立てた例。
【図７】両端部分に組み立て保持部分（フック）を有する本発明品の一例。（組み立て前）
【図８】図５の発明品の保持部（フック）を起して組み立てた例。
【図９】図７の状態の発明品を壁面に取り付けて眼鏡を掛けて保持している状態を表す。
【図１０】保持部を３箇所とした図５と同じ類型の本発明品を組み立て壁面に取り付けて歯ブラシを保持している例。
【図１１】多数個の保持部分（フック）を有する本発明品の一例であり、組み立てて壁面に取り付けたものに鍵を保持している状態を表す。
【図１２】ひとつの長方形の中に切り込み線を４本入れ、内側に保持部分（フック）を２個形成できる本発明品の例。（組み立て前）
【図１３】図１２の発明品の保持部（フック）を起して組み立てた例。
【図１４】一枚の板内部の２箇所にある切り込み線部を裏面から手指で押して起して保持部分（フック）を形成する型の本発明品の例。表面に図柄がある。
【図１５】組み立てた図１４の本発明品を壁に取り付け、眼鏡を掛けて保持している状態を表す。
【図１６】図１４と同じ類型の本発明品で、ペアとなる保持部分（フック）を縦に複数個並べた本発明の例。壁に取り付けてペンと鋏を保持している状態を表す。
【図１７】図１６と同じ発明品。眼鏡の陳列用具として使用している状態を表す。
【図１８】特定の形状の物品を保持する為の本発明品の例。（組み立て前）
【図１９】図１８の発明品の保持部（フック）を起して組み立てた例。
【図２０】図１９に示す状態の発明品を壁に取り付け、コンピューター入力機器のマウスを保持している状態を表す。
【図２１】トンネル形状のフック部分を形成する本発明品の一例。
【図２２】図２１を真横から眺めた模式図。
【図２３】複数枚の板片セットから組み立てる本発明品の一例。組み立てる前の状態。
【図２４】図２３の発明品を組み立てた状態。
【図２５】複数枚の板片セットから組み立てる本発明品のもう１つの例。組み立てる前の状態。
【図２６】図２５の発明品を組み立て、ティッシュペーパーの箱を保持した状態。
【符号の説明】
１・・・・・台座部分
２・・・・・保持部分
２Ａ・・・・折り曲げ整形された保持部分（フック）
３・・・・・貫通穴
４・・・・・貫通切り込み線、一部切り残し
５・・・・・台座部分
６・・・・・保持部分
６Ａ・・・・折り曲げ整形された保持部分（フック）
７・・・・・貫通穴
８・・・・・折り目線
９・・・・・台座部分
１０・・・・保持部分
１０Ａ・・・折り曲げ整形された保持部分（フック）
１１・・・・台座部分
１２・・・・保持部分
１３・・・・台座部分
１４・・・・保持部分
１４Ａ・・・折り曲げ整形された保持部分（フック）
１５・・・・台座部分
１６・・・・保持部分
１６Ａ・・・折り曲げ整形された保持部分（フック）
１７・・・・保持部分
１７Ａ・・・折り曲げ整形された保持部分（フック）
１８・・・・保持部分
１８Ａ・・・折り曲げ整形された保持部分（フック）
１９・・・・コンピューター用マウス
２０・・・・台座部分
２１・・・・トンネル状の管筒型フック部分
２２・・・・台所用のラップ
２３・・・・両面テープ（接着剤）
２４・・・・壁面
２５・・・・鉤型フック部分板片（成形前）
２５Ａ・・・鉤型フック部分板片（成形組み立て後）
２６・・・・穴型フック部分板片（成形前）
２６Ａ・・・穴型フック部分板片（成形組み立て後）
２７・・・・台座部分（組み立て前）
２７Ａ・・・台座部分（組み立て後）
２８・・・・台座になる部分（組み立て前）
２９・・・・鉤フックになる部分（組み立て前）
２９Ａ・・・組み立てられた鉤フック部分
３０・・・・両面粘着テープ
３１・・・・箱詰めティッシュペーパー
【図１】
2004293772.tif 000003
【図２】
2004293772.tif 000004
【図３】
2004293772.tif 000005
【図４】
2004293772.tif 000006
【図５】
2004293772.tif 000007
【図６】
2004293772.tif 000008
【図７】
2004293772.tif 000009
【図８】
2004293772.tif 000010
【図９】
2004293772.tif 000011
【図１０】
2004293772.tif 000012
【図１１】
2004293772.tif 000013
【図１２】
2004293772.tif 000014
【図１３】
2004293772.tif 000015
【図１４】
2004293772.tif 000016
【図１５】
2004293772.tif 000017
【図１６】
2004293772.tif 000018
【図１７】
2004293772.tif 000019
【図１８】
2004293772.tif 000020
【図１９】
2004293772.tif 000021
【図２０】
2004293772.tif 000022
【図２１】
2004293772.tif 000023
【図２２】
2004293772.tif 000024
【図２３】
2004293772.tif 000025
【図２４】
2004293772.tif 000026
【図２５】
2004293772.tif 000027
【図２６】
2004293772.tif 000028